(57)【要約】【課題】  簡易な構造で強固に固定することが可能となる可動間仕切壁パネルの固定装置を提供する。【解決手段】  案内ピン３４を有するロッド部材３１と、ロッド部材３１の先端に設けられている押圧体５１と、横方向に移動自在であり、傾斜案内孔１１ｃが形成されている第１スライド部材１１と、第１スライド部材１１の移動を規制する規制手段を備え、案内ピン３４は、傾斜案内孔１１ｃに、移動自在に嵌挿されており、かつ、ロッド部材３１は、傾斜案内孔１１ｃに沿って、上下方向に移動自在となるように構成されている可動間仕切壁パネルＰの固定装置Ｋとした。【選択図】  図４
2020056186.tif 000002
【特許請求の範囲】
【請求項１】
所定位置に第１突出体を有するロッド部材と、前記ロッド部材の先端に設けられている押圧部材と、
横方向に移動自在であり、第１案内部が形成されている第１スライド部材と、
前記第１スライド部材の移動を規制する規制手段を備え、
前記ロッド部材の前記第１突出体は、前記第１スライド部材の前記第１案内部に、移動自在に挿通されており、かつ、前記ロッド部材は、前記第１案内部に沿って、上下方向に移動自在となるように構成されているとともに、
前記規制手段は、所定位置において、前記第１突出体を移動不能の状態に保持することが可能となるように構成されていること、を特徴とする可動間仕切壁パネルの固定装置。
【請求項２】
前記規制手段は、
横方向に移動自在であり、第２案内部が形成されている第２スライド部材と、
所定位置に第２突出体を有し、前記第１スライド部材の移動を規制するストッパ部材と、を備え、
前記ストッパ部材の前記第２突出体は、前記第２案内部に、移動自在に挿通されており、
前記第２案内部の端部には、前記第２突出体を係合させるための係合部が形成されていること、を特徴とする請求項１に記載の可動間仕切壁パネルの固定装置。
【請求項３】
前記第１案内部は、傾斜部として形成されており、その先端部の傾斜角度は、接続部の傾斜角度と比較して小さく形成されていること、を特徴とする請求項１又は請求項２に記載の可動間仕切壁パネルの固定装置。
【請求項４】
天井部又は壁面部において、スライド可動に吊り下げられた１枚以上の矩形形状の可動間仕切壁パネルを備える可動間仕切壁において、
前記少なくとも１枚の可動間仕切壁パネルにおける、少なくとも一方の下縁隅角部近傍又は上縁隅角部近傍に、端面から第１スライド部材の先端が突出する向きに、請求項１乃至請求項３のいずれか１項に記載の可動間仕切壁パネルの固定装置が設けられていること、を特徴とする可動間仕切壁。
【請求項５】
天井部又は壁面部において、スライド可動に吊り下げられた１枚以上の矩形形状の可動間仕切壁パネルを備える可動間仕切壁において、
前記少なくとも１枚の可動間仕切壁パネルにおける、左右の下縁隅角部近傍又は左右の上縁隅角部近傍に、各々の端面から突出する向きに、請求項１乃至請求項３のいずれか１項に記載の可動間仕切壁パネルの固定装置が設けられており、
前記左右の可動間仕切壁パネルの固定装置における、前記各押圧部材の設置面間に架設されている支持部材を備えていること、を特徴とする可動間仕切壁。
【発明の詳細な説明】
【技術分野】
【０００１】
本発明は、複数枚の可動間仕切壁パネルを走行自在に並設して構成される可動間仕切壁及び当該可動間仕切りパネルの固定装置に関する。
【背景技術】
【０００２】
従来から、天井部に取り付けたレールに、複数枚の間仕切壁パネルをスライド自在に懸吊し、並設することにより、室内を画設する可動間仕切壁が知られている。このような可動間仕切壁を固定するために、下記のような構造が知られている。
【０００３】
すなわち、間仕切壁パネルに上下動可能な落とし棒を設け、固定状態においては、床面に設けた前記落とし棒の外径と略同一の内径を有する部位と、上記落とし棒の外径よりも大きい内径を有する部位とを備えた開口周縁部を有するヒジツボに、上記落とし棒の下端部を係入可能とする一方、固定解除状態においては、上記落とし棒を上記ヒジツボから離脱、保持可能に形成するものであり、固定状態において、係入された落とし棒の下端部を、開口周縁部の上記落とし棒の外径と略同一の内径を有する部位に付勢するバネ手段を可動間仕切壁パネルに配設している固定構造である（特許文献１）。
【先行技術文献】
【特許文献】
【０００４】
【特許文献１】特開２００３−１９３５９８号公報
【発明の概要】
【発明が解決しようとする課題】
【０００５】
しかし、従来の固定構造では、操作が煩雑であるとともに、可動間仕切壁パネルを落とし棒で支持することになるため強固に固定することが難しく、がたつき等が生じてしまうという問題点が存在していた。また、ヒジツボが存在することにより、意匠的にも改善が求められていた。
【０００６】
本発明は、上記各問題点を解決するためになされたものであり、操作が不要、かつ、簡易な構造で強固に固定することが可能であり、意匠的に優れた可動間仕切壁パネルの固定装置及び当該固定装置を使用した可動間仕切壁を提供することを目的としている。
【課題を解決するための手段】
【０００７】
上記目的を達成するために、本発明は、所定位置に第１突出体を有するロッド部材と、上記ロッド部材の先端に設けられている押圧部材と、横方向に移動自在であり、第１案内部が形成されている第１スライド部材と、上記第１スライド部材の移動を規制する規制手段を備え、上記ロッド部材の上記第１突出体は、上記第１スライド部材の上記第１案内部に、移動自在に挿通されており、かつ、上記ロッド部材は、上記第１案内部に沿って、上下方向に移動自在となるように構成されているとともに、上記規制手段は、所定位置において、上記第１突出体を移動不能の状態に保持することが可能となるように構成されていること、を特徴とする可動間仕切壁パネルの固定装置（以下、「本固定装置」という場合がある。）を提供するものである。
【０００８】
ここで、第１突出体は、本体部に突設されている部材であり、突起、ピン等その形態、寸法等に制限はない。
また、第１案内部は、ロッド部材の移動方向をガイドするための部材であり、溝、孔等、その形態に制限はない。
また、横方向とは、水平方向のみではなく、斜め方向等をも含むものである（以下も同様である）。また、第１スライド部材は、端部が出没自在となるように、所定形状の筐体内に収納される構成とすることが実装をする上では好適である。
【０００９】
本固定装置は、ロッド部材と、その先端に設けられている押圧部材と、第１スライド部材を備えている。そして、ロッド部材は第１突出体を備え、当該第１突出体は、第１スライド部材に形成されている第１案内部に移動自在に挿通されており、かつ、ロッド部材は、上下方向に移動自在となるように構成されている。そのため、第１スライド部材の上下方向への移動に対応して、ロッド部材が昇降動作をし、当該ロッド部材の先端に設けられている押圧部材が床部又は天井部に圧接することになるため、強固かつ安定的に可動間仕切壁パネルを固定することができる。
【００１０】
また、本固定装置において、上記規制手段は、横方向に移動自在であり、第２案内部が形成されている第２スライド部材と、所定位置に第２突出体を有し、上記第１スライド部材の移動を規制するストッパ部材と、を備え、上記ストッパ部材の上記第２突出体は、上記第２案内部に、移動自在に挿通されており、上記第２案内部の端部には、上記第２突出体を係合させ、移動を規制するための係合部が形成されている構成とすることにより、簡易な構造で、押圧部材の圧接状態の作動と解除を実現することができるため好適である。
【００１１】
なお、上記係合部の形状は、ストッパ部材を一時的に係止させ、移動を制限することができる構造であれば、係合段部、係合溝、係合顎部等、その形状に制限はない。また、第２案内部についても、溝、孔等、その形態に制限はない。
【００１２】
さらに、本固定装置において、上記第１案内部は、第１スライド部材の突出面側である方向（下方）に傾斜する傾斜部として形成されており、その先端部の傾斜角度が、接続部の傾斜角度と比較して小さく形成されている構成とすることにより、押圧部材の作動状態を解除する場合において、緩やかに行わせることができ、その負荷を軽減させることができるため好適である。
【００１３】
また、本発明は、天井部又は壁面部において、スライド可動に吊り下げられた１枚以上の矩形形状の可動間仕切壁パネルを備える可動間仕切壁において、上記少なくとも１枚の可動間仕切壁パネルにおける、少なくとも一方の下縁隅角部近傍又は上縁隅角部近傍に、端面から第１スライド部材の先端が突出する向きに、本固定装置が設けられていること、を特徴とする可動間仕切壁を提供するものである。
【００１４】
ここで、可動間仕切壁パネルは、天井部又は壁面上部の所定位置に設けられているガイドレールに吊下げられる等、可動間仕切壁パネルによって、設置空間が所望の形状に区画されるように、スライド可動に支持されていることを想定している。なお、可動間仕切壁パネルの形状、寸法、枚数等には制限はない。
【００１５】
さらに、本固定装置は、左右の下縁隅角部近傍又は左右の上縁隅角部近傍のいずれの箇所に取り付けるものであってもよく、複数箇所に組み合わせて使用するものであってもよい。
【００１６】
本発明（可動間仕切壁）によれば、本固定装置が可動間仕切壁パネルに設けられていることから、簡易な構造で、固定度が優れた構造を実現することができる。
【００１７】
また、本発明は、天井部又は壁面部において、スライド可動に吊り下げられた１枚以上の矩形形状の可動間仕切壁パネルを備える可動間仕切壁において、上記少なくとも１枚の可動間仕切壁パネルにおける、左右の下縁隅角部近傍又は左右の上縁隅角部近傍に、各々の端面から突出する向きに、本固定装置が設けられており、上記左右の可動間仕切壁パネルの固定装置における、上記各押圧部材の設置面間に架設（横設）されている支持部材を備え、上記支持部材は、上記ロッド部材の上下方向の移動に追従して移動可能に構成されていること、を特徴とする可動間仕切壁を提供するものである。
【００１８】
本発明（可動間仕切壁）によれば、可動間仕切壁パネルに設けられている本固定装置と、当該本固定装置の各押圧部材の設置面間に架設されている支持部材を備えていることから、当該支持部材を床面又は天井部に面的に当接させることにより、固定度を向上させることが可能となる。
【発明の効果】
【００１９】
本発明によれば、操作が不要、かつ、簡易な構造で強固に固定することが可能であり、意匠的に優れた可動間仕切壁パネルの固定装置及び当該固定装置を使用した可動間仕切壁を提供することができる。
【図面の簡単な説明】
【００２０】
【図１】本発明の可動間仕切壁の全体を示す側面図である。
【図２】本発明の可動間仕切壁の下部を示す斜視図である（可動間仕切り壁パネルの側板は図示せず）。
【図３】本発明の可動間仕切壁パネルの固定装置における動作制御部を示す分解斜視図である。
【図４】本発明の可動間仕切壁パネルの固定装置における動作制御部を示す斜視図である。
【図５】本発明の可動間仕切壁パネルの固定装置における押圧部を示す分解斜視図である。
【図６】本発明の可動間仕切壁パネルの固定装置における押圧部を示す斜視図である。
【図７】（ａ）は、本発明の可動間仕切壁の作動前の状態を説明するための斜視図であり、（ｂ）は、本発明の可動間仕切壁パネルの固定装置の作動前の状態を説明するための側面図である（説明の便宜上、ともに主要部のみを図示）。
【図８】（ａ）は、本発明の可動間仕切壁の作動時の状態を説明するための斜視図であり、（ｂ）は、本発明の可動間仕切壁パネルの固定装置の作動時の状態を説明するための側面図である（説明の便宜上、ともに主要部のみを図示）。
【図９】（ａ）は、本発明の可動間仕切壁の作動完了時の状態を説明するための斜視図であり、（ｂ）は、本発明の可動間仕切壁パネルの固定装置の作動完了時の状態を説明するための側面図である（説明の便宜上、ともに主要部のみを図示）。
【発明を実施するための形態】
【００２１】
以下、図面を参照しつつ、本固定装置及び本固定装置を下部に取り付けた可動間仕切壁（以下、「本可動間仕切壁」という。）の一実施形態について、詳細に説明する。図面の説明においては、同一要素には同一符号を付し、重複する説明を省略する。
【００２２】
［全体構成］
図１に示すように、本可動間仕切壁Ｈは、建物の一室における天井部Ｗ１において、所定態様で設置されているガイドレールＧと、戸車ユニット３を備え、ガイドレールＧにスライド可動に吊り下げられた複数枚の矩形形状の可動間仕切壁パネルＰを備えており、各可動間仕切壁パネルＰにおける下側隅角部の２箇所に本固定装置Ｋが設けられている（図１）。
なお、ガイドレールＧ及び可動間仕切壁パネルＰは、公知の部材及び建具を用いることができる。
【００２３】
［本固定装置］
本固定装置Ｋは、動作制御部１０と押圧部５０を主要部としている。２つの本固定装置Ｋの動作制御部１０は、門型形状（断面視）の架台部６の両端部に載置されており、当該架台部材６の内部側に、押圧部５０が内装されている。動作制御部５０の後記ロッド部３３の先端は、架台部材６の開口部（図示せず）に挿通され、押圧部５０に取り付けられている（図２，図７〜図９）。
【００２４】
架台部６の下部には、支持部材７が設けられている。支持部材７は、倒立した略Π字形状である基体部と当該基体部の下面の両端部においてレール状に延設されている設置部から構成されている。この架台部６及び支持部材７は、可動間仕切壁パネルＰの長さ及び幅に対応する寸法に形成されており、両側の２つの本固定装置Ｋは、後記押圧部５０の下面に接するように、支持部材７の両端部に載置されている。可動間仕切壁パネルＰの下面は開口しており、本固定装置Ｋが架台部材６及び支持部材７に取り付けられた状態で内装され、支持部材７が昇降して、床面Ｗ３に当接することができるよう取り付けられることで、その下面が塞がれている。
【００２５】
（１）動作制御部
動作制御部１０は、押圧部５０の動作開始及び動作解除を操作するための役割を奏しており、第１スライド部材１１、第２スライド部材２１、ストッパ部材２２、ロッド部材３１及び各スライド部材１１，２１を収納するための筐体４１を主要部としている（図３，図４）。
【００２６】
（筐体）
筐体４１は、扁平な中空の直方体であり、可動間仕切壁パネルＰに取り付ける場合において、隣接する可動間仕切壁パネルＰ又は壁面Ｗ２と接する側の端面（以下、「当接側端面」という。）には、開口部が形成されている。また、一方の扁平側面は、カバー４３で塞がれている。なお、符号４４は、当該カバー４３を固定するためのネジである。
【００２７】
筐体４１は、区画板４２により、各スライド部材１１，２１の形状に対応した寸法となるように、上下に区画されている。そして、上部空間には第２スライド部材２１が収納され、下部空間には第１スライド部材１１が、それそれ、開口部から水平方向に出没自在となるように収納されている。
【００２８】
区画板４２の略中央部には、２つの長孔が並設されている。当接側端面の側の長孔（以下、説明上「第１長孔４２ａ」という。）の真上における筐体４１の上面には、ストッパ挿入孔４１ａが設けられている。また、区画板４２の他方の長孔（以下、説明上「第２長孔４２ｂ」という。）の真上における筐体４１の上面及び真下における筐体の下面には、それぞれロッド挿入孔４１ｂが設けられている（上面のロッド挿入孔は図示せず）。
なお、筐体４１には、上面のロッド挿入孔と連通するロッド挿入部４１ｃが突設されている。
【００２９】
（第２スライド部材）
第２スライド部材２１は、第１スライド部材１１より短く形成されている中空の直方体であり、当接側端面と対向する側（以下、「内側」という。）には、付勢バネ２４を捲装するための突出部２１ｄが突設されている。また、第２スライド部材２１における上下の対向する面には、縦長の略凸状である長孔２１ａ（下側の長孔は図示せず）が形成されるとともに、対向する各扁平面には、水平方向に略弓形形状である第２案内孔２１ｂが形成されている。第２案内孔２１ｂの下部曲線（平面視）は、内側から当接側端面の側に向かい下方に傾斜するように形成されており、その終端部（先端部）には係合ピン２３（第２突出体）を係合させるための係合部２１ｃが形成されている。
【００３０】
ストッパ部材２２は、棒状であり略中間部に係合ピン２３が付設されている。
このストッパ部材２２は、第２スライド部材２１の上下の長孔２１ａ内において、ロッド部材３１に対して当接側端面の側に挿通され、当該ロッド部材３１と並んで設けられている。また、上記ストッパ部材２２は、第１スライド部材１１の上面のストッパ部材係合孔１１ａに挿脱自在に挿通されている。そして、ストッパ部材２２の係合ピン２３が第２案内孔２１ｂの係合部２１ｃに係合した場合には、ストッパ部材２２の下端部が第１スライド部材１１の上面のストッパ部材係合孔１１ａに挿入されることにより、第２スライド部材２１及び第１スライド部材１１の移動を規制することができるように構成されている。
【００３１】
また、第２スライド部材２１の上記突出部２１ｄには、当接側端面の向きに、常時付勢力を付与する付勢バネ２４が捲装されている。
【００３２】
（第１スライド部材）
第１スライド部材１１は、第２スライド部材２１と比較して高さ寸法が大きい中空の直方体である。上下の対向する面には、長孔１１ｂ（下側の長孔は図示せず）が形成されるとともに、上面の長孔１１ｂの当接面側には、ストッパ部材２２の先端部を嵌挿するためのストッパ部材係合孔１１ａ（丸孔）が設けられている。
【００３３】
また、第１スライド部材１１の対向する各扁平面には、傾斜案内孔１１ｃ（第１案内部）が形成されている。傾斜案内孔１１ｃは、内側から当接側端面側に向から斜め下側に傾斜するように形成されている細孔であり、下側の先端部１１ｄの傾斜角度は、接続部１１ｅの傾斜角度（本実施形態では、約４５度であるが、特に制限はない）と比較して、小さい角度に形成されている。
【００３４】
（ロッド部材）
ロッド部材３１は、上端のバネ係止部３２、ロッド部３３、案内ピン３４（第１突出体）、押圧体取付部３５とから形成されている。ロッド部材３１は、筐体４１のロッド挿入部４１ｃ、第２スライド部材２１の長孔２１ａ、区画板４２の第２長孔４２ｂ、第１スライド部材１１の上下面の長孔１１ｂに挿入され、押圧体取付部３５が後記押圧体５１に取り付けられている。
【００３５】
また、ロッド部３３の上部は、常時上向きに付勢力が付与されており、バネ係止部３２とロッド挿入部４１ｃの間に介装されているロッドバネ３６に挿通されている。さらに、ロッド部３３の略中間部には、案内ピン３４が突設されている。そして、案内ピン３４は、第１スライド部材１１の傾斜案内孔１１ｃに、移動自在に嵌挿されている。
なお、符号３７は、バネ係止部３２の固定用ネジである。
【００３６】
（２）押圧部
押圧部５０は、直方体形状の押圧体５１（押圧部材）と、当該押圧体５１を内部に収容する直方体である中空箱型のベース５２を主要部としている（図５，図６）。
【００３７】
押圧体５１は、直方体形状であり、上部には、上面視で略凸状の開口部５１ａが形成されており、当該開口部５１ａにおいて、側面視で略Ｌ字形状のロッド部材係止部５１ｂが形成されている。上記ロッド部材３１の押圧体取付部３５は、ピン部材が突設されている構造であり、ロッド部材係止部５１ｂに係止されることにより、押圧体５１とロッド部材３１が一体となっている。
【００３８】
ベース５２は、直方体である中空箱型であり、上部には、押圧体５１を収容するための上面開口部５２ａが形成されるとともに、一方の扁平側面に側面開口部５２ｂが形成されている。また、ベース５２における下面の２箇所には、バネ用突起５３が設けられている。押圧体５１は、常時上向きの付勢力を付与する２体の押圧体支持バネ５４（付勢部材）を介して、上下方向にスライド自在となるよう、ベース５２内に内挿されている。
【００３９】
押圧部５０は、通常は、ロッドバネ３６及び押圧体支持バネ５４の作用により、可動間仕切壁パネルＰの下部に収納されている。一方、ロッド部材３１により、押圧体５１が下方に押圧され、押圧力が、ロッドバネ３６及び押圧体支持バネ５４の付勢力を上回った場合には、押圧部５０は下方に移動し、可動間仕切壁パネルＰの下面から突出するように構成されている。
【００４０】
［本固定装置及び本可動間仕切壁の使用方法］
続いて、本固定装置Ｋ及び本可動間仕切壁Ｈの使用方法について説明する。
なお、以下の説明において、既に、本固定装置Ｋが取り付けられた上記本可動間仕切壁Ｈが、ガイドレールＧに取り付けられているものとする。
【００４１】
（本可動間仕切壁の設置時）
まず、本可動間仕切壁Ｈを設置し、間仕切りを行う場合には、一枚目の可動間仕切壁パネルＰのスライド移動を開始する。
可動間仕切壁パネルＰが壁面Ｗ２に接するまでは、本固定装置の第１スライド部材１１及び第２スライド部材２１は、筐体４１の当接側端面から突出した状態となっており、押圧部５０は、可動間仕切壁パネルＰの下方に収納されている（図７）。
【００４２】
続いて、可動間仕切壁パネルＰが壁面Ｗ２に近接し、本固定装置Ｋの第１スライド部材１１及び第２スライド部材２１の先端が壁面Ｗ２に当接すると、当該第１スライド部材１１及び第２スライド部材２１は、筐体４１の当接側端面と反対向きに押圧され、徐々に筐体４１内部に収納される（図８）。
【００４３】
このとき、第１スライド部材１１が移動することに伴い、ロッド部材３１の案内ピン３４は傾斜案内孔１１ｃの接続部１１ｅに案内されて、当接側端面側である斜め下方に下降する。上記動作に追従して、ロッド部材３１は下方に移動して、押圧体５１を押圧することから、支持部材７に載置されている押圧部５０は、徐々に可動間仕切壁パネルＰの下面から下降する。
【００４４】
そして、ロッド部材３１の案内ピン３４は、傾斜案内孔１１ｃの先端部１１ｄに当接し、ロッド部材３１は最下方に達することになる。そのため、押圧体５１が支持部材７を介して床面Ｗ３に当接し、可動間仕切壁パネルＰが強固に固定される。
【００４５】
上記一連の動作において、第２スライド部材２１のストッパ部材２２は、自重により、第２案内孔２１ｂに沿って、当接側端面側である斜め下方に移動し、最終的に、第２案内孔２１ｂの係合部２１ｃに係合するとともに、ストッパ部材２２の先端部は、第１スライド部材１１のストッパ部材係合孔１１ａに挿入される。これにより、第２スライド部材２１及び第１スライド部材１１の移動が規制され、さらに、ロッド部材３１の上方への移動が抑制されることで、押圧部５０の床面Ｗ３への当接状態が保持される（図９）。
【００４６】
（本可動間仕切壁の収納時）
一方、可動間仕切壁パネルＰを収納する場合には、第２スライド部材２１及び第１スライド部材１１の移動を規制しているストッパ部材２２の係合ピン２３を上方に持ち上げ、係止状態を解除する。そして、可動間仕切壁パネルＰをわずかに移動させ、第２スライド部材２１を当接側端面から突出させる。すると、第２スライド部材２１に付勢バネ２４の付勢力が作用し、第２スライド部材２１及び第１スライド部材１１が当接側端面から突出する。その際、ロッド部材３１の案内ピン３４は、傾斜案内孔１１ｃの接続部１１ｅに案内されて、当接側端面と反対向きである斜め上方に移動する。当該動作に追従し、ロッド部材３１は、上方に移動して、筐体４１内部に収納され、固定状態が解除される。
【００４７】
なお、２枚以降の可動間仕切壁パネルＰを移動させる場合において、各可動間仕切壁パネルＰは、両側面において、本固定装置Ｋが隣接する可動間仕切壁パネルＰ等と当接することになるが、その作用は、上記１枚目の可動間仕切壁パネルＰの場合と同様である。
【００４８】
［本固定装置及び本可動間仕切壁の作用効果］
本固定装置Ｋは、案内ピン３４が設けられているロッド部材３１と、その先端に設けられている押圧体５１と、第１スライド部材１１を備えている。そして、案内ピン３４は、第１スライド部材１１の傾斜案内孔１１ｃに移動自在に嵌挿されており、かつ、ロッド部材３１が上下方向に移動自在となるように構成されている。そのため、第１スライド部材１１の上下方向への移動に対応して、ロッド部材３１が昇降動作し、押圧体５１を床面Ｗ３に圧接させることにより、特別な操作を行うことなく、強固かつ安定的に可動間仕切壁パネルＰを固定することが可能となる。
【００４９】
また、本固定装置Ｋにおいて、第２スライド部材２１及び第１スライド部材１１と連動するストッパ部材２２を備えている。そして、ストッパ部材２２の係合ピン２３を、第２スライド部材２１の第２案内孔２１ｂの係合部２１ｃに係合させることにより、当該ストッパ部材２２の下端部が第１スライド部材１１の上面のストッパ部材係合孔１１ａに挿入されることにより、第２スライド部材２１及び、ロッド部材３１の昇降動作と連動する第１スライド部材１１の移動を規制することができる。そして、案内ピン２３の係合状態を開放することにより、上記規制状態を解除することができる。そのため、第１スライド部材１１の動作を制御する簡易な構造により、ロッド部材３１に取り付けられている押圧体５１の圧接状態の作動及び解除を行わせることができる。
【００５０】
また、本固定装置Ｋによれば、傾斜案内孔１１ｃは、斜め下方に傾斜するように形成されており、その先端部１１ｄの傾斜角度は、接続部１１ｅの傾斜角度と比較して小さく形成されている。そのため、押圧体５１の作動状態を解除する場合において、緩やかに行うことができることになり、その負荷を軽減させることができる。
【００５１】
また、本固定装置Ｋは、動作制御部１０と押圧部５０を主要部としており、コンパクトかつ意匠的に優れた形態として構成することができる。
【００５２】
また、本可動間仕切壁Ｈによれば、本固定装置Ｋが可動間仕切壁パネルＰに設けられており、簡易な構造で、固定度が優れた構造を実現することができる。
【００５３】
さらに、本可動間仕切壁Ｈによれば、可動間仕切壁パネルＰに設けられている本固定装置Ｋと、当該本固定装置Ｋの各押圧部５０の下面に架設されている支持部材７を備えている。この支持部材７は、可動間仕切壁パネルＰと同じ長さを有しており、全長部分にわたって、その下面を床面Ｗ３に当接させることができることから、固定度を向上させることが可能となる。
【００５４】
以上、本発明について、好適な実施形態についての一例を説明したが、本発明は当該実施形態に限られず、本発明の趣旨を逸脱しない範囲で、適宜設計変更が可能である。
【００５５】
例えば、本固定装置についての仕様、材質、寸法、形状、取付位置等に関しては、基本的な構成を備えていれば、種々の構造を用いることができる。例えば、可動間仕切壁パネルの材質は、スチール製、木製等制限はない。
【００５６】
また、第１スライド部材、第２スライド部材及びストッパ部材の位置・形状、第１案内部及び第２案内部の位置・形状、並びに、押圧体の構成要素等は、可動間仕切壁の形状、取付け位置等に応じて、適宜、変更が可能である。
また、支持部材は、押圧部材の設置面間である可動間仕切壁パネルの下面又は上面に設けられ、床面又は天井部と面的に当接することができる形状に形成されているものであれば、その構造等に制限はない。
【００５７】
さらに、本実施形態では、本固定装置を左右の下縁隅各部に取り付けた本可動間仕切壁について説明した。しかし、本固定装置は、左右の上縁隅角部近傍に、第１スライド部材及び第２スライド部材が、当接側端面から突出する向きに設けられるものであってもよい。また、支持部材についても、各本固定装置の下部に設けられている構成であれば、その形態について制限はなく、板状部材等によって形成されるものでもよい。
【符号の説明】
【００５８】
Ｈ      可動間仕切壁
Ｐ      可動間仕切壁パネル
Ｋ      固定装置
Ｗ１    天井部
７      支持部材
１０    動作制御部
１１    第１スライド部材
１１ｃ  傾斜案内孔（第１案内部）
１１ｄ  先端部
１１ｅ  接続部
２１    第２スライド部材
２１ｂ  第２案内孔
２１ｃ  係合部
２２    ストッパ部材
２３    係合ピン（第２突出体）
３１    ロッド部材
３３    ロッド部
３４    案内ピン（第１突出体）
４１    筐体
４２    区画板
５０    押圧部
５１    押圧体（押圧部材）
５２    ベース
【図１】
2020056186.tif 000003
【図２】
2020056186.tif 000004
【図３】
2020056186.tif 000005
【図４】
2020056186.tif 000006
【図５】
2020056186.tif 000007
【図６】
2020056186.tif 000008
【図７】
2020056186.tif 000009
【図８】
2020056186.tif 000010
【図９】
2020056186.tif 000011